(57)【要約】【課題】好適に配光を広げることのできる照明装置を提供する。【解決手段】照明装置１０は、ＬＥＤ１２と、ＬＥＤ１２からの光を制御する照明装置用光学部品１４とを備える。照明装置用光学部品１４は、透明基板２０と、透明基板２０の一方の面上の一部に形成された、ＬＥＤ１２からの光を反射するための第１反射部２２および第２反射部２４とを備える。第１反射部２２および第２反射部２４は、透明基板２０の一方の面上に形成された凸部を備え、該凸部は、透明基板２０に対して傾斜した反射面を有する。【選択図】図３
2013134966.tif 000002
【特許請求の範囲】
【請求項１】
光源からの光を制御する照明装置用光学部品であって、
透明基板と、
前記透明基板の一方の面上の一部に形成された、前記光源からの光を反射するための反射部と、
を備えることを特徴とする照明装置用光学部品。
【請求項２】
前記反射部は、前記透明基板の一方の面上に形成された凸部を備え、
前記凸部は、前記透明基板に対して傾斜した反射面を有することを特徴とする請求項１に記載の照明装置用光学部品。
【請求項３】
前記凸部は、メッキ可能な第１材料により形成され、
前記反射面は、前記凸部の傾斜面にメッキを付与することにより形成され、
前記透明基板のうち前記光源からの光が透過する透過部は、メッキが付き難い第２材料で形成されることを特徴とする請求項２に記載の照明装置用光学部品。
【請求項４】
前記凸部と前記透過部は、前記第１材料と前記第２材料の二色成形により一体的に形成されることを特徴とする請求項３に記載の照明装置用光学部品。
【請求項５】
光源と、
前記光源からの光を制御する請求項１から４のいずれかに記載の照明装置用光学部品と、
を備えることを特徴とする照明装置。
【発明の詳細な説明】
【技術分野】
【０００１】
本発明は、照明装置用光学部品に関し、特にＬＥＤ照明装置に用いられる光学部品に関する。
【背景技術】
【０００２】
従来より、ＬＥＤを光源とした照明装置が知られている。ＬＥＤは、発光に指向性があり、単体で使用すると光のムラが発生する。例えば、ＬＥＤの発光面に対して垂直方向に向かう光は多いが、垂直方向から傾斜した方向に向かう光は少ない。そこで、光の照射範囲を広げるために、ＬＥＤからの光を制御する光学部品を用いた照明装置が提案されている。例えば特許文献１には、ＬＥＤからの光を反射、拡散、透過させる照明ユニットを用いた照明装置が開示されている。
【先行技術文献】
【特許文献】
【０００３】
【特許文献１】特開２０１１−１００７０９号公報
【発明の概要】
【発明が解決しようとする課題】
【０００４】
しかしながら、特許文献１に記載の照明装置においては、ＬＥＤ光源からの光が２枚の反射板間を何度も反射を繰り返すので、照射光量が低下する可能性がある。
【０００５】
本発明はこうした状況に鑑みてなされたものであり、その目的は、好適に配光を広げることのできる照明装置用光学部品および照明装置を提供することにある。
【課題を解決するための手段】
【０００６】
上記課題を解決するために、本発明のある態様の照明装置用光学部品は、光源からの光を制御する照明装置用光学部品であって、透明基板と、透明基板の一方の面上の一部に形成された、光源からの光を反射するための反射部とを備える。
【０００７】
反射部は、透明基板の一方の面上に形成された凸部を備えてもよい。凸部は、透明基板に対して傾斜した反射面を有してもよい。
【０００８】
凸部は、メッキ可能な第１材料により形成され、反射面は、凸部の傾斜面にメッキを付与することにより形成され、透明基板のうち光源からの光が透過する透過部は、メッキが付き難い第２材料で形成されてもよい。
【０００９】
凸部と透過部は、第１材料と第２材料の二色成形により一体的に形成されてもよい。
【００１０】
本発明の別の態様は照明装置である。この照明装置は、光源と、光源からの光を制御する上述の照明装置用光学部品とを備える。
【発明の効果】
【００１１】
本発明によれば、好適に配光を広げることのできる照明装置用光学部品および照明装置を提供できる。
【図面の簡単な説明】
【００１２】
【図１】本発明の実施形態に係る照明装置を示す図である。
【図２】図２（ａ）および（ｂ）は、照明装置用光学部品の構造を説明するための図である。
【図３】本実施形態に係る照明装置の発光の様子を示す図である。
【発明を実施するための形態】
【００１３】
図１は、本発明の実施形態に係る照明装置を示す。図１に示す照明装置１０は、電球型の照明装置であり、光源としてのＬＥＤ１２と、ＬＥＤ１２からの光を制御する照明装置用光学部品１４と、ＬＥＤ１２および照明装置用光学部品１４を囲うガラスカバー１６と、照明装置１０を照明器具に取り付けるための口金１８とを備える。
【００１４】
ＬＥＤ１２は、発光面１２ａを照明装置１０の前方に向けた状態でガラスカバー１６内に配置されている。
【００１５】
照明装置用光学部品１４は、ガラスカバー１６内の中央付近に、ＬＥＤ１２と対向するように配置された円盤状の部材である。照明装置用光学部品１４は、ＬＥＤ１２からの光の一部を透過し、別の一部を反射することで、照明装置１０の配光を制御する。
【００１６】
図２（ａ）および（ｂ）は、照明装置用光学部品１４の構造を説明するための図である。図２（ａ）は照明装置用光学部品１４の断面図を示し、図２（ｂ）は照明装置用光学部品１４の平面図を示す。
【００１７】
図２（ａ）および（ｂ）に示すように、照明装置用光学部品１４は、光透過性樹脂により形成された円盤状の透明基板２０と、透明基板２０のＬＥＤ１２と対向する面（以下、「ＬＥＤ対向面」と呼ぶ）２０ａの一部に形成された第１反射部２２および第２反射部２４とを備える。
【００１８】
第１反射部２２は、ＬＥＤ対向面２０ａの中央部から突出する円錐台状凸部２２ａから構成されている。円錐台状凸部２２ａは、光透過性樹脂により透明基板２０と一体に形成されている。円錐台状凸部２２ａの側面２２ｂには金属メッキが付着されており、ＬＥＤ１２からの光を反射する反射面とされている。この反射面は、ＬＥＤ対向面２０ａに対して傾斜している。また、円錐台状凸部２２ａの上面２２ｃには金属メッキが付着されておらず、ＬＥＤ１２からの光を透過する透過面とされている。
【００１９】
第２反射部２４は、第１反射部２２の周囲を囲うようにＬＥＤ対向面２０ａから突出する環状凸部２４ａから構成されている。円錐台状凸部２２ａは、光透過性樹脂により透明基板２０と一体に形成されている。図２（ａ）に示すように、環状凸部２４ａは、ＬＥＤ対向面２０ａに対して傾斜した斜面２４ｂを有する。この斜面２４ｂには金属メッキが付着されており、ＬＥＤ１２からの光を反射する反射面とされている。
【００２０】
第１反射部２２および第２反射部２４の反射面は、ＬＥＤ１２からの光を拡散して反射する拡散反射面に形成されてもよいし、ＬＥＤ１２からの光を正反射する正反射面に形成されてもよい。正反射とは、入射角と出射角が等しい反射である。
【００２１】
透明基板２０における金属メッキが付着されていない部位２６は、ＬＥＤ１２からの光を透過する。ＬＥＤ１２からの光を透過する透明基板２０の部位２６を適宜「透過部２６」と呼ぶ。
【００２２】
本実施形態に係る照明装置用光学部品１４は、一つの金型上で（途中金型の一部を入れ替えて）２種類の樹脂を射出成形する二色成形により製造することができる。例えば、メッキ可能な樹脂材料とメッキが付き難い樹脂材料を選択して二色成形を行う。この場合、金属メッキ処理が必要な円錐台状凸部２２ａおよび環状凸部２４ａはメッキ可能な樹脂材料で成形し、メッキ処理が必要ない透明基板２０の透過部２６は、メッキが付き難い樹脂材料で成形する。メッキ可能な樹脂材料としてはＡＢＳ樹脂を例示でき、メッキが付き難い樹脂材料としてはポリカーボネートを例示できる。ポリカーボネートは、ＡＢＳ樹脂よりも透過率が高い。従って、ポリカーボネートとＡＢＳ樹脂を用いて二色成形を行うことにより、メッキ処理を確実に行いつつ、ＡＢＳ樹脂のみで成形した場合よりも光利用効率を高めることができる。なお、ここではポリカーボネートとＡＢＳ樹脂を例示したが、これらの材料に限定されない。
【００２３】
第１反射部２２および第２反射部２４の反射面を正反射面にする場合には、ＡＢＳ樹脂の上にＣｕ等のメッキを施し、更にその上にＡｇのメッキ処理を施す。これにより、反射率９０％以上の反射面を作ることができる。
【００２４】
第１反射部２２および第２反射部２４の反射面を散乱反射面にする場合には、ＡＢＳ樹脂の部分に例えば、酸化チタン、二酸化チタンやカルシウム等の無機重点剤を加えた熱可塑性材料を使用すればよい。
【００２５】
以上のように構成された照明装置用光学部品１４は、照明装置用光学部品１４の中心軸ＡｘがＬＥＤ１２の発光面と垂直に交わるようにガラスカバー１６内に配置される。照明装置用光学部品１４の中心軸Ａｘは、ＬＥＤ１２の発光面の中心を通る。
【００２６】
図３は、本実施形態に係る照明装置１０の発光の様子を示す。図３に示すように、ＬＥＤ１２から出射された光の一部は、照明装置用光学部品１４の透過部２６を透過し、ガラスカバー１６を介して照明装置１０の前方に照射される。また、ＬＥＤ１２から出射された光の別の一部は、第１反射部２２および第２反射部２４により反射され、ガラスカバー１６を介して照明装置１０の側方および後方に照射される。このように、本実施形態に係る照明装置１０によれば、透明基板２０の一部に第１反射部２２および第２反射部２４を形成した非常に簡易な構造の照明装置用光学部品１４を用いることにより、ＬＥＤ１２から出射された光を照明装置１０の前方だけでなく、側方および後方にも照射でき、配光を広げることができる。また、本実施形態に係る照明装置１０によれば、照明装置用光学部品１４を用いることにより、反射を繰り返すことなく光を制御できるため、光量の減衰無く所望の方向にムラ無く光を照射することができ、光利用効率が高く、ムラのないＬＥＤ照明を作り出すことができる。
【００２７】
第１反射部２２の側面２２ｂおよび第２反射部２４の斜面２４ｂの透明基板２０に対する傾斜角度は、必要とされる配光特性に応じて適宜設定することができる。
【００２８】
上述の実施形態では、メッキ可能な樹脂材料としてＡＢＳ樹脂を例示したが、ＡＢＳ樹脂に代えてＣｕ等のメッキが可能な他の熱可塑性樹脂も使用することができる。また、Ａｇメッキに代えて、Ｎｉメッキを使用することもできる。
【００２９】
上述の実施形態では、照明装置用光学部品１４を電球型のＬＥＤ照明装置に適用した例について説明したが、照明装置用光学部品１４は直管型のＬＥＤ照明装置や面型のＬＥＤ照明装置に適用することもできる。
【００３０】
また、上述の実施形態では、照明装置用光学部品１４を二色成形により製造する例について説明したが、金属で第１反射部２２および第２反射部２４を予め形成しておき、その後この金属の第１反射部２２および第２反射部２４をインサート成形することにより照明装置用光学部品１４を製造してもよい。
【００３１】
上述の実施形態では、第２反射部２４を一つの環状凸部２４ａで構成したが、第２反射部２４は複数の環状凸部から構成されてもよい。また、第２反射部２４は環状である必要はなく、例えばＬＥＤ対向面２０ａ上に突出した複数の小さな凸部から構成されてもよい。
【００３２】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【００３３】
１０  照明装置、  １２  ＬＥＤ、  １４  照明装置用光学部品、  １６  ガラスカバー、  １８  口金、  ２０  透明基板、  ２２  第１反射部、  ２４  第２反射部。
【図１】
2013134966.tif 000003
【図２】
2013134966.tif 000004
【図３】
2013134966.tif 000005